(57)【要約】本発明は、磁性粒子を液体から除去する装置であって、磁性粒子が含まれる液体を保持する少なくとも１つの容器と、前記少なくとも１つの容器の中に入れる少なくとも１つの磁性柱と、を備えており、前記液体が前記少なくとも１つの磁性柱と接触すると、前記磁性粒子が前記少なくとも１つの磁性柱の方に引き付けられて該磁性柱に結合し、その結果、前記液体が前記少なくとも１つの磁性柱から分離されたとき、前記磁性粒子が前記液体から除去されていることになる、装置である。【選択図】図１
2014515694.tif 000002
【特許請求の範囲】
【請求項１】
磁性粒子を液体から除去する装置であって、
磁性粒子を含んでいる液体を保持する少なくとも１つの容器と、
前記少なくとも１つの容器の中に置かれるための少なくとも１つの磁性柱と
を備えており、
前記液体が前記少なくとも１つの磁性柱と接触すると、前記磁性粒子が前記少なくとも１つの磁性柱の方に引き付けられて該磁性柱に結合し、その結果、前記液体が前記少なくとも１つの磁性柱から分離されたとき、前記磁性粒子が前記液体から除去される、装置。
【請求項２】
軸をさらに備えており、前記少なくとも１つの磁性柱が、前記軸を中心として動くように前記軸に支えられている、請求項１に記載の装置。
【請求項３】
前記軸を中心とする動きが任意の方向である、請求項２に記載の装置。
【請求項４】
前記軸を中心とする動きが多方向である、請求項２または３に記載の装置。
【請求項５】
前記軸を中心とする動きが、回転、振動、揺れ、旋回、前後、上下、およびこれらの組合せからなる群から選択される、請求項２から４のいずれか１項に記載の装置。
【請求項６】
前記少なくとも１つの磁性柱が中空であり、内部の磁石を含む、請求項１から５のいずれか１項に記載の装置。
【請求項７】
前記内部の磁石が、永久磁石および電磁石からなる群から選択される、請求項６に記載の装置。
【請求項８】
前記内部の磁石が、前記少なくとも１つの磁性柱から取出し可能である、請求項６または７に記載の装置。
【請求項９】
前記少なくとも１つの磁性柱がさらに非磁性スペーサを含む、請求項１から８のいずれか１項に記載の装置。
【請求項１０】
前記少なくとも１つの磁性柱が取外し可能なカバーを含む、請求項１から９のいずれか１項に記載の装置。
【請求項１１】
前記少なくとも１つの磁性柱が複数の磁性柱である、請求項２から１０のいずれか１項に記載の装置。
【請求項１２】
前記複数の磁性柱のうちの少なくとも２つの磁性柱が異なる寸法を有する、請求項１１に記載の装置。
【請求項１３】
前記複数の磁性柱が、少なくとも１つのアレイの形で前記軸に支えられている、請求項１１または１２に記載の装置。
【請求項１４】
前記少なくとも１つのアレイが、前記軸に支えられた複数のアレイである、請求項１３に記載の装置。
【請求項１５】
前記複数のアレイが、実質的に平行、実質的に交差、およびこれらの組合せからなる群から選択された配置で前記軸に支えられている、請求項１４に記載の装置。
【請求項１６】
前記軸を中心とする動きが手動である、請求項２から１５のいずれか１項に記載の装置。
【請求項１７】
前記軸を中心とする動きが自動化されている、請求項２から１５のいずれか１項に記載の装置。
【請求項１８】
前記液体が、血液、血液製剤、骨髄、ＣＳＦ、細胞培養液、食品、ミルク、飲料、油、潤滑剤、緩衝剤、溶剤であって水、エタノール、ホルムアミド、フェノール、クロロホルムからなる群から選択された溶剤、試薬、ならびにこれらの組合せからなる群から選択される、請求項１から１７のいずれか１項に記載の装置。
【請求項１９】
前記液体が血液または血液製剤である、請求項１８に記載の装置。
【請求項２０】
前記磁性粒子が細胞、バクテリア、藻類、ウイルス、タンパク質、核酸、または汚染物質に結合される、請求項１から１９のいずれか１項に記載の装置。
【請求項２１】
前記液体の量が約１０μｌから約１０６リットルである、請求項１から２０のいずれか１項に記載の装置。
【請求項２２】
前記量が約３００ｍｌから約１０００ｍｌである、請求項２１に記載の装置。
【請求項２３】
磁性粒子を液体から除去する方法であって、
磁性粒子を含む液体を前記液体中の少なくとも１つの磁性柱に接触させ、それによって前記磁性粒子を前記少なくとも１つの磁性柱に引き付け結合させることと、
前記液体を、前記少なくとも１つの磁性柱および該磁性柱に結合した前記磁性粒子から分離して、前記磁性粒子を前記液体から除去することと、
を有する方法。
【請求項２４】
前記少なくとも１つの磁性柱が、軸を中心として動くように前記軸に支えられている、請求項２３に記載の方法。
【請求項２５】
前記軸を中心とする動きが任意の方向である、請求項２４に記載の方法。
【請求項２６】
前記軸を中心とする動きが多方向である、請求項２４または２５に記載の方法。
【請求項２７】
前記軸を中心とする動きが、回転、振動、揺れ、旋回、前後、上下、およびこれらの組合せからなる群から選択される、請求項２４から２６のいずれか１項に記載の方法。
【請求項２８】
前記少なくとも１つの磁性柱が中空であり、内部の磁石を含む、請求項２４から２７のいずれか１項に記載の方法。
【請求項２９】
前記内部の磁石が、前記少なくとも１つの磁性柱から取出し可能である、請求項２８に記載の方法。
【請求項３０】
前記少なくとも１つの磁性柱がさらに非磁性スペーサを含む、請求項２８または２９に記載の方法。
【請求項３１】
前記少なくとも１つの磁性柱が取外し可能なカバーを含む、請求項２８から３０のいずれか１項に記載の方法。
【請求項３２】
前記少なくとも１つの磁性柱が複数の磁性柱である、請求項２８から３１のいずれか１項に記載の方法。
【請求項３３】
前記複数の磁性柱のうちの少なくとも２つの磁性柱が異なる寸法を有する、請求項３２に記載の方法。
【請求項３４】
前記複数の磁性柱が、少なくとも１つのアレイの形で前記軸に支えられている、請求項３２または３３に記載の方法。
【請求項３５】
前記少なくとも１つのアレイが、前記軸に支えられた複数のアレイである、請求項３４に記載の方法。
【請求項３６】
前記複数のアレイが、実質的に平行、実質的に交差、およびこれらの組合せからなる群から選択された配置で前記軸に支えられている、請求項３５に記載の方法。
【請求項３７】
前記軸を中心とする動きが手動である、請求項２４から３６のいずれか１項に記載の方法。
【請求項３８】
前記軸を中心とする動きが自動化されている、請求項２４から３６のいずれか１項に記載の方法。
【請求項３９】
前記液体が、血液、血液製剤、骨髄、ＣＳＦ、細胞培養液、食品、ミルク、飲料、油、潤滑剤、緩衝剤、溶剤であって水、エタノール、ホルムアミド、フェノール、クロロホルムからなる群から選択された溶剤、試薬、およびこれらの組合せからなる群から選択される、請求項２４から３８のいずれか１項に記載の方法。
【請求項４０】
前記液体が、血液、血液製剤、およびこれらの組合せからなる群から選択される、請求項３９に記載の方法。
【請求項４１】
前記磁性粒子が細胞、バクテリア、藻類、ウイルス、タンパク質、核酸、または汚染物質に結合される、請求項２４から４０のいずれか１項に記載の方法。
【請求項４２】
前記液体の量が約１０μｌから約１０６リットルである、請求項２４から４１のいずれか１項に記載の方法。
【請求項４３】
前記量が約３００ｍｌから約１０００ｍｌである、請求項４２に記載の方法。
【請求項４４】
磁性粒子を液体から除去する装置であって、
流入導管および流出導管を含むチャンバと、
前記チャンバ内で前記流入導管と前記流出導管の間に支えられた磁石と、
を備えており、
前記液体が前記流入導管から前記流出導管へと流れるときに、前記磁石が前記液体中の前記磁性粒子を引き付け結合する、装置。
【請求項４５】
前記磁石が固定されている、請求項４４に記載の装置。
【請求項４６】
前記チャンバ内で前記磁石を支えるための複数の保持部分をさらに含む、請求項４４または４５に記載の装置。
【請求項４７】
前記磁石が保護コーティングを有する、請求項４５から４６のいずれか１項に記載の装置。
【請求項４８】
互いに係合して前記チャンバを形成する２つの部分を備え、前記２つの部分のうちの一方の部分が前記流入導管を含み、他方の部分が前記流出導管および前記磁石を含む、請求項４５から４７のいずれか１項に記載の装置。
【請求項４９】
前記磁石が前記チャンバから取外し可能である、請求項４５から４８に記載の装置。
【請求項５０】
前記２つの部分が、一緒にネジ止めすることによって互いに係合されている、請求項４８に記載の装置。
【請求項５１】
前記磁石が前記チャンバの壁に取り付けられている、請求項４５から５０のいずれか１項に記載の装置。
【請求項５２】
前記磁石の外径が前記チャンバの内径よりも小さくなっている、請求項４５から５１のいずれか１項に記載の装置。
【請求項５３】
前記液体が通って流れる開口を前記磁石が備えている、請求項４５から５２のいずれか１項に記載の装置。
【請求項５４】
前記磁石が片側または両側で凹面になっている、請求項４５から５３のいずれか１項に記載の装置。
【請求項５５】
前記液体が、血液、血液製剤、骨髄、ＣＳＦ、細胞培養液、食品、ミルク、飲料、油、潤滑剤、緩衝剤、溶剤であって水、エタノール、ホルムアミド、フェノール、クロロホルムおよびこれらの組合せからなる群から選択された溶剤、試薬、およびこれらの組合せからなる群から選択される、請求項４５から５４のいずれか１項に記載の装置。
【請求項５６】
前記液体が血液、血液製剤、およびこれらの組合せからなる群から選択される、請求項５５に記載の装置。
【請求項５７】
前記磁性粒子が細胞、バクテリア、藻類、ウイルス、タンパク質、核酸、または汚染物質に結合される、請求項４５から５６のいずれか１項に記載の装置。
【請求項５８】
前記液体の量が約１０μｌから約１０６リットルである、請求項４５から５７のいずれか１項に記載の装置。
【請求項５９】
前記量が約３００ｍｌから約１０００ｍｌである、請求項４５から５８のいずれか１項に記載の装置。
【請求項６０】
前記流入導管および前記流出導管が、患者の静脈または動脈に直接または間接的に連結されるように構成されている、請求項４５から５９のいずれか１項に記載の装置。
【請求項６１】
前記流入導管および前記流出導管が、管類を介して静脈または動脈に間接的に連結されるように構成されている、請求項４５から５９のいずれか１項に記載の装置。
【請求項６２】
生体内または生体外で使用する、請求項４５から５９のいずれか１項に記載の装置。
【請求項６３】
磁性粒子を液体から除去する方法であって、
内部の磁石を含むドリップ式チャンバの中に前記液体を、前記液体中の磁性粒子を引き付け結合する前記磁石に前記液体が接触し通過するように流入させることと、
前記液体を前記ドリップ式チャンバの外へ流出させることと
を有する方法。
【請求項６４】
前記ドリップ式チャンバが、前記チャンバ内で前記磁石を支えるための複数の保持位置を含む、請求項６３に記載の方法。
【請求項６５】
前記磁石が保護コーティングを有する、請求項６３または６４に記載の方法。
【請求項６６】
前記ドリップ式チャンバが、互いに係合して前記ドリップ式チャンバを形成する２つの部分を備え、前記２つの部分のうちの一方の部分が流入導管を含み、他方の部分が流出導管および前記磁石を含む、請求項６３から６５に記載の方法。
【請求項６７】
前記磁石が前記ドリップ式チャンバから取外し可能である、請求項６６に記載の方法。
【請求項６８】
前記２つの部分が、一緒にネジ止めすることによって互いに係合されている、請求項６６または６７に記載の方法。
【請求項６９】
前記磁石が前記チャンバの壁に取り付けられている、請求項６３から６８のいずれか１項に記載の方法。
【請求項７０】
前記磁石の外径が前記ドリップ式チャンバの内径よりも小さくなっている、請求項６３から６９のいずれか１項に記載の方法。
【請求項７１】
前記液体が通って流れる開口を前記磁石が備えている、請求項６３から７０のいずれか１項に記載の方法。
【請求項７２】
前記磁石が片側または両側で凹面になっている、請求項６３から７１のいずれか１項に記載の方法。
【請求項７３】
前記液体が、血液、血液製剤、骨髄、ＣＳＦ、細胞培養液、食品、ミルク、飲料、油、潤滑剤、緩衝剤、溶剤であって水、エタノール、ホルムアミド、フェノール、クロロホルムの組合せからなる群から選択された溶剤、試薬、およびこれらの組合せからなる群から選択される、請求項６３から７２のいずれか１項に記載の方法。
【請求項７４】
前記液体が血液、血液製剤、およびこれらの組合せからなる群から選択される、請求項７３に記載の方法。
【請求項７５】
前記磁性粒子が細胞、バクテリア、藻類、ウイルス、タンパク質、核酸、または汚染物質に結合される、請求項６３から７４のいずれか１項に記載の方法。
【請求項７６】
前記液体の量が約１０μｌから約１０６リットルである、請求項６３から７５のいずれか１項に記載の方法。
【請求項７７】
前記液体の量が約３００ｍｌから約１０００ｍｌである、請求項６３から７６のいずれか１項に記載の方法。
【請求項７８】
生体内または生体外で実施される、請求項６３から７７のいずれか１項に記載の方法。
【請求項７９】
患者の血液感染性の病気または障害を処置する方法であって、
前記病気または障害を引き起こす部分に向けられて結合する磁性粒子を用いて前記患者の血液を処置することと、
請求項１から２２、および請求項４４から６２のいずれか１項に記載の装置を使用することによって、前記磁性粒子および、病気または障害を引き起こす部分を前記血液から除去することと
を有する方法。
【請求項８０】
前記血液感染性の病気または障害が、癌、ウイルス、および自己免疫疾患からなる群から選択される、請求項７９に記載の方法。
【請求項８１】
前記癌が白血病である、請求項８０に記載の方法。
【請求項８２】
前記ウイルスがＨＩＶ、ＨＢＶまたはＨＣＶである、請求項８０に記載の方法。
【請求項８３】
前記自己免疫疾患が糖尿病、全身性エリテマトーデスまたは関節リウマチである、請求項８０に記載の方法。
【請求項８４】
前記病気または障害を引き起こす部分が、細胞、ウイルス粒子、自己免疫タンパク質複合体、毒物、タンパク質複合体、コレステロール複合体、およびこれらの組合せからなる群から選択される、請求項７９から８３のいずれか１項に記載の方法。
【請求項８５】
血液または骨髄が処置のために患者から取り出され、処置後に前記患者に戻される、請求項７９から８４のいずれか１項に記載の方法。
【請求項８６】
患者の血液感染性の病気または障害を処置するための請求項１から２２および請求項４４から６２のいずれか１つに記載の装置の使用であって、前記病気または障害を引き起こす部分に向けられて結合する磁性粒子が前記患者の前記血液中に存在する、装置の使用。
【請求項８７】
前記血液感染性の病気または障害が、癌、ウイルス、および自己免疫疾患からなる群から選択される、請求項８６に記載の装置の使用。
【請求項８８】
前記癌が白血病である、請求項８７に記載の装置の使用。
【請求項８９】
前記ウイルスがＨＩＶ、ＨＢＶまたはＨＣＶである、請求項８７に記載の装置の使用。
【請求項９０】
前記自己免疫疾患が糖尿病、全身性エリテマトーデスまたは関節リウマチである、請求項８７に記載の装置の使用。
【請求項９１】
前記病気または障害を引き起こす部分が、細胞、バクテリア、藻類、ウイルス粒子、自己免疫タンパク質複合体、毒物、タンパク質複合体、コレステロール複合体、およびこれらの組合せからなる群から選択される、請求項８６から９０のいずれか１項に記載の装置の使用。
【発明の詳細な説明】
【技術分野】
【０００１】
本発明は、磁性粒子を含む液体に関する。より詳細には、本発明は、液体から磁性粒子を除去する新規の装置および方法を対象とする。
【０００２】
本明細書全体を通じて、本発明が関連する最新技術をより完全に説明するために様々な参考文献が引用されている。これらの参考文献の開示を参照することによって、それらの開示の全てがここでの開示に組み込まれる。
【背景技術】
【０００３】
磁性粒子を除去する装置および方法は、米国特許第２，０２９，０７８号、米国特許第３，５６７，０２６号、米国特許第３，６７６，３３７号、米国特許第３，９０２，９９４号、米国特許第４，１４１，６８７号、米国特許第４，５５４，０８８号、米国特許第４，６６３，０２９号、米国特許第５，１０８，９３３号、米国特許第５，２００，０８４号、米国特許第５，４６６，５７４号、米国特許第５，６２２，８３１号、米国特許第６，４５１，２０７号、米国特許第６，４６８，８１０号、米国特許第６，６９５，００４号、および米国特許出願公開第２００６／０２８６１３７号により知られている。これらの装置および方法の多くは複数の外部磁石を使用し、該磁石は、磁石が入れられている液体から分離されない。加えて、これらの装置および方法の多くは、実験的な分析のために少量の場合に適するのみで、大規模な量の場合には適さない。
【先行技術文献】
【特許文献】
【０００４】
【特許文献１】米国特許第２，０２９，０７８号
【特許文献２】米国特許第３，５６７，０２６号
【特許文献３】米国特許第３，６７６，３３７号
【特許文献４】米国特許第３，９０２，９９４号
【特許文献５】米国特許第４，１４１，６８７号
【特許文献６】米国特許第４，５５４，０８８号
【特許文献７】米国特許第４，６６３，０２９号
【特許文献８】米国特許第５，１０８，９３３号
【特許文献９】米国特許第５，２００，０８４号
【特許文献１０】米国特許第５，４６６，５７４号
【特許文献１１】米国特許第５，６２２，８３１号
【特許文献１２】米国特許第６，４５１，２０７号
【特許文献１３】米国特許第６，４６８，８１０号
【特許文献１４】米国特許第６，６９５，００４号
【特許文献１５】米国特許出願公開第２００６／０２８６１３７号
【発明の概要】
【発明が解決しようとする課題】
【０００５】
前述した各装置は一般には有効であるが、従来技術の少なくとも１つの欠陥を克服し、さらに他の利点を装置自体にもたらす装置および方法を提供することが望ましい。
【課題を解決するための手段】
【０００６】
本発明は、液体の媒体から磁性粒子をスカベンジングまたは除去する新規の装置および方法である。磁性粒子は、いかなる粒径、形状または構成でもよい。例えば、磁性粒子は、それだけには限らないが、ヤスリ粉、切粉、削り屑などでもよい。本明細書に記載の装置および方法には、白血病、糖尿病、またはウイルス感染などの血液感染性の病気の処置に関して用途が見出される。本明細書に記載の装置および方法はまた、例えば骨髄、脳脊髄液（ＣＳＦ）、細胞培養液、食品、ミルク、飲料、試薬などの、血液または血液製剤以外の液体、例えばエンジンオイルなどの油、例えば機械潤滑剤などの潤滑剤、緩衝剤、例えば水、エタノール、ホルムアミド、フェノール、クロロホルム、および他の化学液体などの溶剤、ならびに化学試薬から、汚染物質または混入物を除去するのにも有用である。他の用途には、実験的な分析において溶剤からＤＮＡまたはＲＮＡを取り出すことが含まれる。タンパク質は、酵素、抗体、受容体、ポリペプチド、ハプテンなどであり得る。ポリペプチドはポリペプチドホルモンであり得る。ハプテンは、レクチン、ホルモン、薬剤、殺虫剤、毒素などの低分子化合物であり得る。
【０００７】
本発明の態様によれば、液体から磁性粒子を除去する装置が提供され、この装置は、その液体および磁性柱を保持する容器を備えている。この容器は、液体を保持するのに適した任意の容器とすることができ、当業者には知られている。本発明の１つの実施形態では、容器は管である。本発明の別の実施形態では、容器は、板に形成された少なくとも１つの窪みである。本発明の別の実施形態では、その少なくとも１つの窪みが複数の窪みである。本発明の実施形態では、板はプラスチック板である。容器および磁性柱は、少量の液体中の磁性粒子を除去するのに十分である（図２の（２６）参照）。磁性柱は任意のサイズ、形状および構成とすることができる。例えば、磁性柱は、それだけには限らないが、ケーキ、柱状体、針、ビーズ、釘、外科用メス、スプーンなどとすることができる。任意のサイズの磁性柱を個別に使用し、軸に取り付けて、または取り付けずに容器の中に入れて磁性粒子を除去することができる。本発明の１つの実施形態では、容器は非磁性である。
【０００８】
本発明の一態様によれば、磁性粒子を液体から除去する装置が提示され、この装置は、その液体を保持する容器と、軸と、この軸を中心として動くように取り付けられた少なくとも１つの磁性柱とを備えており、この磁性柱が液体を攪拌し、液体中の磁性粒子を引き付ける。軸を中心とする動きは、当業者が分かるような任意の動きとすることができる。本発明の１つの実施態様では、軸を中心とする動きは多方向である。本発明の１つの実施態様では、軸を中心とする動きは、攪拌、回転、振動、揺れ、旋回、前後動、上下動、およびこれらの組合せからなる群から選択される。
【０００９】
一態様では、磁性柱は中空であり、内部の磁石を含む。一態様では、磁石は磁性柱から取出し可能である。本発明の１つの実施態様では、磁石は永久磁石である。本発明の別の実施態様では、磁石は電磁石である。磁性柱はさらに、非磁性スペーサおよび取外し可能なカバーを含んでもよい。磁性柱の外側は、より多くの物質を保持できるように、いくつかの釘状または網状の突起を付けて製作することができる。加えて、磁性柱はまた、物質を保持するのにより効果的であるために、フックまたは他の形状（ナイフまたはスプーンなど）を付けて製作することもできる。
【００１０】
別の態様では、複数の磁性柱が少なくとも１つのアレイの形で軸に支えられており、それぞれの磁性柱は、異なるサイズおよび／または直径であってもよい。本発明の実施態様では、少なくとも１つのアレイは、軸に支えられている単一のアレイである。本発明の別の実施態様では、少なくとも１つのアレイは、軸に支えられている複数のアレイである。本発明の別の実施態様では、少なくとも１つのアレイは、当業者に分かるように任意の数のアレイである。本発明の別の実施態様では、少なくとも１つのアレイは１列から約２０列までのアレイである。
【００１１】
別の態様では、複数のアレイは、実質的に平行（＝）、実質的に交差（×または＋）、およびこれらの組合せからなる群から選択された配置で軸に支えられている。
【００１２】
別の態様では、軸を中心とする動きが、手動、自動、およびこれらの組合せからなる群から選択される。
【００１３】
別の態様では、液体は、血液、血液製剤、骨髄、脳脊髄液（ＣＳＦ）、細胞培養液、食品、ミルク、飲料、例えばエンジンオイルなどの油、例えば機械などから取り出された潤滑剤、緩衝剤、それだけには限らないが水、エタノール、ホルムアミド、フェノール、クロロホルムおよび他の化学液体を含む溶剤、ならびに化学試薬から選択される。一態様では、液体は血液または血液製剤である。
【００１４】
別の態様では、磁性粒子は細胞、バクテリア、藻類、ウイルス、タンパク質、核酸、または汚染物質に結合される。磁性粒子が固体の担持体として使用される場合、または磁性粒子がターゲット物質よりも大きい場合は、磁性粒子をウイルス、細胞またはタンパク質に結合させるのではなく、細胞、バクテリア、藻類、ウイルス、タンパク質を磁性粒子に結合させることができる。しかし、これらが結合された後は複合体になるので、違いはない。磁性粒子がターゲット物質よりも小さい場合には、磁性粒子（ナノ粒子）はターゲット物質に結合される。磁性粒子がターゲット物質に結合されるか、それともターゲット物質が磁性粒子に結合されるかは、それぞれ異なる状況によって決まる。そのとき、磁性柱は、粒子−細胞／ウイルス複合体を引き付ける。
【００１５】
液体は、当業者に分かるように少量または大量であり得る。本発明の実施態様では、その量は約１０μｌから約１０６リットルである。例えば、研究用途では、その量は約１０μｌしかない。本発明の実施態様では、その量は約０．１ｍｌである。産業用途では、その量は水泳プールの容積ほどにも多くなり得る。磁石が大きいサイズに拡大される１つの実施態様では、スカベンジング装置は、水中の人毛、藻類、および他の異質（混入）物質を除去できるように、真空吸引掃除機のように製作することができ、また水泳プール中を歩くことができる。１つの実施態様では、液体は約３００ｍｌから約１０００ｍｌである。この量では、臨床目的に使用してもよい。
【００１６】
本発明の別の態様によれば、磁性粒子を液体から除去する方法が提示され、この方法は、液体中で磁性柱を動かし、それによって磁性粒子を引き付けることと、磁性柱および引き付けられた磁性粒子を液体から除去することとを含む。本発明の実施態様では、その動きは、撹拌、回転、振動、揺れ、旋回、前後動、上下動、およびこれらの組合せからなる群から選択される。本発明の実施態様では、その動きは撹拌である。
【００１７】
一態様では、磁性柱は中空であり、内部の磁石を含み、磁石は磁性柱から取出し可能でもよい。別の態様では、磁性柱はさらに、非磁性スペーサおよび取外し可能なカバーを含む。
【００１８】
別の態様では、複数の磁性柱は少なくとも１つのアレイの形で前記軸に支えられており、それぞれの磁性柱は異なるサイズ／長さ、および／または直径である。本発明の実施態様では、少なくとも１つのアレイは、軸に支えられた単一のアレイである。本発明の別の実施態様では、少なくとも１つのアレイは、軸に支えられた複数のアレイである。本発明の別の実施態様では、少なくとも１つのアレイは、当業者に分かるように、軸に支えられた任意の数のアレイである。本発明の別の実施態様では、少なくとも１つのアレイは、１列から約２０列のアレイである。
【００１９】
別の態様では、複数のアレイは、実質的に平行（＝）、実質的に交差（×または＋）、およびこれらの組合せからなる群から選択された配置で軸に支えられている。
【００２０】
別の態様では、軸を中心とする動きは、手動、自動、およびこれらの組合せからなる群から選択される。
【００２１】
一態様では液体は、血液、血液製剤、骨髄、ＣＳＦ、細胞培養液、食品、ミルク、飲料、例えばエンジンオイルなどの油、例えば機械から取り出されたものなどの潤滑剤、緩衝剤、それだけには限らないが水、エタノール、ホルムアミド、フェノール、クロロホルム、他の化学液体を含む溶剤、他の化学試薬、およびこれらの組合せからなる群から選択される。一態様では液体は、血液、血液製剤、およびこれらの組合せからなる群から選択される。
【００２２】
別の態様では磁性粒子は、細胞、バクテリア、藻類、ウイルス、タンパク質、核酸、汚染物質、またはこれらの組合せに結合される。
【００２３】
別の態様では、液体は、当業者に分かるように大量である。本発明の実施態様では、液体は量が約３００ｍｌから約１０００ｍｌである。
【００２４】
本発明の別の態様によれば、磁性粒子を液体から除去する装置が提示され、この装置は、流入導管および流出導管を含むチャンバと、チャンバ内で流入導管と流出導管の間に支えられた磁石とを備えており、磁石は、液体が流入導管から流出導管へと流れるときに、液体中の磁性粒子を引き付ける。
【００２５】
一態様では、磁石は固定されている。
【００２６】
一態様では、磁石は、当業者に分かるように任意の形状またはサイズにすることができる。
【００２７】
一態様では、磁石は、チャンバの壁の内側および／または外側に装着することができる。
【００２８】
別の態様では、装置はさらに、チャンバ内に磁石を支持するための複数の保持部分を有する。
【００２９】
別の態様では、磁石は保護コーティングを有する。
【００３０】
別の態様では、装置は、互いに係合してチャンバを形成する２つの部分を備え、一方の部分は流入導管を有し、他方の部分は流出導管および磁石を有する。
【００３１】
一態様では、磁石はチャンバから取外し可能であり、その２つの部分は、一緒にネジ止めすることによって互いに係合されている。
【００３２】
別の態様では、磁石の外径はチャンバの内径よりも小さくなっている。別の態様では、磁石は、流体が通って流れる開口を備えている。別の態様では、磁石は片側または両側が凹状になっている。
【００３３】
一態様では液体は、血液、血液製剤、骨髄、ＣＳＦ、細胞培養液、食品、ミルク、飲料、例えばエンジンオイルなどの油、例えば機械から取り出されたものなどの潤滑剤、緩衝剤、それだけには限らないが水、エタノール、ホルムアミド、フェノール、クロロホルム、他の化学液体を含む溶剤、他の化学試薬、およびこれらの組合せからなる群から選択される。一態様では液体は、血液、血液製剤、およびこれらの組合せからなる群から選択される。
【００３４】
一態様では磁性粒子は、細胞、バクテリア、藻類、ウイルス、タンパク質、核酸、または汚染物質に結合される。
【００３５】
別の態様では、液体は、当業者に分かるように大量である。本発明の実施態様では、液体は量が約３００ｍｌから約１０００ｍｌである。
【００３６】
本発明の別の態様によれば、磁性粒子を液体から除去する方法が提示され、この方法は、内部の磁石を含むドリップ式チャンバの中に液体を、該液体が該磁石に接触して流通し該磁石が液体中の磁性粒子を引き付けるように通過させることと、液体をドリップ式チャンバの外へ通過させることとを含む。
【００３７】
別の態様では、ドリップ式チャンバは、チャンバ内で磁石を支えるための複数の保持部分を含む。
【００３８】
別の態様では、磁石は保護コーティングを有する。
【００３９】
別の態様では、ドリップ式チャンバは、互いに係合してドリップ式チャンバを形成する２つの部分を備え、一方の部分は流入導管を有し、他方の部分は流出導管および磁石を有する。一態様では、磁石はドリップ式チャンバから取外し可能であり、その２つの部分は、一緒にネジ止めすることによって互いに係合されている。
【００４０】
一態様では、磁石の外径はドリップ式チャンバの内径よりも小さくなっている。別の態様では、磁石は、流体が通って流れる開口を備えている。別の態様では、磁石は片側または両側が凹状になっている。
【００４１】
別の態様では液体は、血液、血液製剤、骨髄、ＣＳＦ、細胞培養液、食品、ミルク、飲料、例えばエンジンオイルなどの油、例えば機械から取り出されたものなどの潤滑剤、緩衝剤、それだけには限らないが水、エタノール、ホルムアミド、フェノール、クロロホルム、および他の化学液体を含む溶剤、ならびに化学試薬からなる群から選択される。一態様では液体は、血液または血液製剤である。
【００４２】
別の態様では磁性粒子は、細胞、バクテリア、藻類、ウイルス、タンパク質、核酸、または汚染物質に結合される。
【００４３】
別の態様では、液体は、約３００ｍｌから約１０００ｍｌなど大量である。
【００４４】
本発明の別の態様によれば、患者の血液感染性の病気または障害を処置する方法が提示され、この方法は、病気または障害を引き起こす部分に向けられて結合する磁性粒子を用いて患者の血液を処置することと、本明細書に記載の装置を使用することによって、磁性粒子および、病気または障害を引き起こす部分を血液から除去することとを有する。
【００４５】
一態様では、血液感染性の病気または障害は、癌、ウイルス、および自己免疫疾患からなる群から選択される。一態様では、癌は白血病であり、ウイルスはＨＩＶ、ＨＢＶまたはＨＣＶであり、ロタウイルスおよび自己免疫疾患は糖尿病、全身性エリテマトーデスまたは関節リウマチである。
【００４６】
別の態様では、その病気または障害を引き起こす部分は、細胞、ウイルス粒子、自己免疫タンパク質複合体、毒物、タンパク質複合体、およびコレステロール複合体から選択される。
【００４７】
別の態様では、血液は処置のために患者から取り出され、処置後に患者に戻される。
【００４８】
本発明の別の態様によれば、本明細書に記載の、患者の血液感染性の病気または障害を処置する装置の使用が提示され、病気または障害を引き起こす部分に向けられて結合する磁性粒子は患者の血液中に存在する。
【００４９】
一態様では、血液感染性の病気または障害は、癌、ウイルス、および自己免疫疾患から選択される。一態様では、癌は白血病であり、ウイルスはＨＩＶ、ＨＢＶまたはＨＣＶであり、自己免疫疾患は糖尿病、全身性エリテマトーデスまたは関節リウマチである。
【００５０】
別の態様では、病気または障害を引き起こす部分は、細胞、ウイルス粒子、自己免疫タンパク質複合体、毒物、タンパク質複合体、コレステロール複合体から選択される。
【００５１】
本発明のほかの特徴および利点は、以下の詳細な説明から明らかになろう。しかし、詳細な説明および具体的な諸例は、本発明の趣旨および範囲内での様々な変更および修正が当業者には詳細な説明から明らかになるので、本発明の諸実施態様を示しながらも単なる例示として示されていることを理解されたい。
【図面の簡単な説明】
【００５２】
【図１】本発明の装置の斜視図である。
【図２】図１の装置に関する磁性柱の斜視図である。
【図３】図１の装置に関するアレイの上面図および側面図である。
【図４】図１の装置の組立てを示す斜視図である。
【図５】ａは本発明の別の装置の側面図、ｂは図ａの装置の側面断面図、ｃは使用中の図ａの装置の側面断面図である。
【図６】ａは分解したときの図５ａの装置の側面図、ｂは図ａの装置の断面図、ｃは図５ａの装置の上面断面図である。
【図７】ａは本発明の装置の使用方法を示す図、ｂは本発明の装置の使用方法を示す図である
【図８】本発明の態様による、ターゲット粒子を磁性粒子に結合させて複合体を形成し、その複合体を磁石に結合させることを示す図である。
【図９】本発明の装置の斜視図である。
【発明を実施するための形態】
【００５３】
次に諸実施形態を単なる例として、添付の図を参照して説明する。
【００５４】
本発明は、液体から磁性粒子を除去すなわちスカベンジングする新規の装置および方法を対象とする。これらの装置および方法には、磁性粒子を血液などからの生体液体、血液製剤、骨髄、ＣＳＦ、細胞培養液、食品、ミルク、飲料、例えばエンジンオイルなどの油、例えば機械から取り出されたものなどの潤滑剤、緩衝剤、それだけには限らないが水、エタノール、ホルムアミド、フェノール、クロロホルム、および他の化学液体を含む溶剤、ならびに化学試薬から除去することに関して、用途が見出される。磁性粒子は、それ自体が液体中の混入物または汚染物質であること、または、液体中の混入物もしくは病気を引き起こす部分に結合していることがある。あるいは磁性粒子は、精製のために液体から取り出さなければならない液体の望ましい成分であることもある。
【００５５】
ここでは、本発明のスカベンジング装置の１つの態様を示す図１を参照して本発明を説明する。この装置２０は、つまみ２４に連結された軸２２を備えている。軸２２とつまみ２４は互いに連結されており、その結果、つまみ２４が動くことで（この実施形態では回転）、対応する動き（この実施形態では軸２２の回転）が生じることになる。こうして装置２０は、つまみ２４が動くこと（この実施形態では回転）により、手動および／または自動で動作することができる。軸２２には複数の円柱２６が取り付けられている。円柱２６は中空であり、磁石２８を収容し（図２参照）、軸２２を中心に回転する。複数の円柱２６は、図示の実施形態ではそれぞれが６本の円柱でのアレイの形で軸のまわりに支えられている。６本の円柱と３列のアレイは一例にすぎない。円柱およびアレイは、当業者に分かるように装置２０の直径に応じてより多くしてもより少なくしてもよい。円柱２６の長さは、当業者に分かるように、容器３０内側の液体容積の深さまたは浅さに応じてより短くしてもより長くしてもよい。それぞれのアレイは、異なる寸法に設定された複数の円柱２６を備える。寸法が変わることにより、対応する磁界の強さの変化が可能になり、最終使用者が望むとおりに装置２０をカスタマイズすることができる。軸２２および円柱２６は、液体を保持する容器３０の中に挿入可能であり、この容器は、カバー３２を用いて蓋をすることができる。
【００５６】
装置２０は、磁石２８が円柱２６内に収容されていないときは攪拌装置として機能できるのに対し、磁石２８が円柱２６内に収容されているときには、さらに液体中の磁性粒子を引き付けるようにも機能できる点で多機能であることを理解されたい。
【００５７】
次に図２を参照すると、円柱２６および磁石２８が別々に示されている。磁石２８は、３つの異なるサイズのもの２８ａ、２８ｂおよび２８ｃで示されている。加えて、非磁性スペーサ３４が、３つの異なるサイズのもの３４ａ、３４ｂおよび３４ｃで示されている。非磁性スペーサ３４は、金属（例えば、アルミニウム、鉛または銅）、磁器、ガラス、セラミック、プラスチック、または木などの任意の非磁性材料で作ることができる。これらの磁石２８およびスペーサ３４を様々に並び換えて組み合わせることによって、結果として生じる磁界は、最終使用者の要求に合うように調整可能である。例えば、円柱２６ａは磁石２８だけを含み、強い磁界を発生する。円柱２６ｂは、１つのスペーサ３４によってそれぞれ分離された３つの磁石２８を含み、容器３０内の３つの異なる平面の位置に中程度の磁界を作り出す。最後に、円柱２６ｃは、３つのスペーサ３４によって分離された２つの磁石２８を含み、それによって、容器３０内の別々の離れた２つの平面の位置に弱い磁界を作り出す。このような磁石２８とスペーサ３４の組合せの構成により、最終使用者にはほぼ無制限に磁界のカスタマイズ化が可能になる。
【００５８】
この組合せの構成は、液体中のいかなる磁性粒子も、それらの異なる固有の重力のために容器３０の底に直ちに沈殿するのではなく、ある時間浮遊し得るので有利である。磁界の面を調整することによって、磁性粒子は、液体中に粒子が沈むのを待つのではなく、磁性柱２６に直ちに引き付けることができる。加えて、より強いまたは弱い磁界を液体中の磁性粒子の濃度または大きさに応じて作り出すために、磁石のサイズを調整してもよい。
【００５９】
図２から、円柱２６は、１つの閉端と、磁石２８およびスペーサ３４を挿入できる１つの開放端とを有する管であることが明らかである。開放端は、蓋３６によって保護されてよく、それによって、容器３０内の液体が磁石２８およびスペーサ３４を汚染することが防止される。こうして、磁石２８およびスペーサ３４は、それぞれの使用の間に洗浄することを必ずしも必要とせずに再使用可能である。
【００６０】
図３は、アレイ３８中の複数の円柱２６の配置を示す。図１および図２に示されるように、例えば、それぞれが６本の円柱からなる３つのアレイ３８を軸２２のまわりに組み立てることができる。あるいは、単一のアレイ３８、または任意の数のアレイを軸２２のまわりに組み立ててもよい。アレイ３８は、当業者に分かるように任意の配置で軸２２のまわりに組み立ててもよい。本発明の実施形態では、複数のアレイ３８は、軸２２のまわりに実質的に平行（＝）、実質的に交差（×または＋）、およびこれらの組合せからなる群から選択された配置で組み立てられる。図３は、複数のアレイ３８を軸２２のまわりに実質的に交差した配置で組み立てることを示す。アレイ３８は、大きいアレイ３８ａ、中間のアレイ３８ｂ、および小さいアレイ３８ｃを作るように、異なるサイズまたは直径の複数の円柱２６からなっていてよい。これらのアレイ３８ａ、３８ｂ、および３８ｃは、軸２２のまわりに任意の組合せで組み立ててもよく、それぞれのアレイ３８は、図に示されているように１種類だけの円柱２６からなるものでなくてもよい。異なる複数の円柱２６を単一のアレイ３８内に一緒に組み合わせられると考えられている。したがって、最終使用者には、作り出される磁界に関してよりいっそうのカスタム化の可能性が与えられる。
【００６１】
次に図４を参照すると、装置２０の組立てが示されている。つまみ２４および軸２２は、カバー３２の孔を通して挿入され、軸２２は、磁石２８および任意選択のスペーサ３４を所望の構成で含むアレイ３８に取り付けられている。軸２２は中空であり、したがって、容器３０から上へ延びている支柱４０の最上部に置くことができる。あるいは、軸２２は、当業者に分かるように、様々な運動または動きを実現できる任意の箇所に配置または固定することもできる。軸２２は、つまみ２４を使用することによって支柱４０上で回転可能である。現段階では、装置２０は、つまみ２４を単純に回すことによって手動で動作させることができ、それによってアレイ３８が容器３０内で回転することになる。あるいは、装置２０は、回転速度、ならびに、時間、紫外線殺菌、温度および光源などの他の望ましいパラメータを制御できる自動化筐体４２の中に入れてもよい。
【００６２】
図４では、筐体４２は、医学的用途が目的の例示的な装置である。使用の際、装置２０は、磁石２８、スペーサ３４、およびアレイ３８を使用して所望の構成に、図示されたように組み立てられる。磁性粒子を含む液体が容器３０の中に入れられ、つまみ２４が回される。これにより、液体全体にわたって液体が攪拌されるとともに磁界が動くことになり、それによって液体中の磁性粒子が磁界内に見出され、そうして磁石２８に引き付けられる可能性が増す。ある期間の後、精製された液体が所望の最終製品であるか、それとも磁性粒子が所望の最終製品であるかによって、液体を容器３０から取り出してもよく、および／またはアレイ３８を液体から取り出してもよい。磁性粒子は円柱２６に引き付けられ、この引き付ける力は、例えば中の磁石を除去することによって円柱２６が消磁されるまで無くならない。
【００６３】
次に図５および図６を参照すると、本発明の装置の別の態様が示されている。ここでは、その装置は、液体５８が流通できる流入導管４６および流出導管４８を有する中空のドリップ式チャンバ４４の形を取る。磁石２８が、ドリップ式チャンバ４４内で保持部分５０の上に支持されている。磁石２８の外径は、液体５８が保持部分５０間の間隙６０を経由して磁石２８を通り過ぎ、流出導管４８を通って流れ出るように、ドリップ式チャンバ４４の内径よりも小さくなっている。あるいは、磁石２８はドリップ式チャンバ４４の内径と同じ直径を有していてもよいが、この場合には、液体５８が通って流れることができるように磁石２８に少なくとも１つの開口があるべきである。この装置の態様では、磁石２８は固定されており、液体５８と一緒に動かないことが理解されよう。別法として、磁石２８は、チャンバ４４の内側および／または外側で壁に取り付けてもよい。チャンバ４４はまた、病気を引き起こす成分を捕捉するために、患者の体内に装置を埋め込むことによって流入導管４６および流出導管４８が患者の静脈または動脈に接続されるように変更することもできる。
【００６４】
ドリップ式チャンバ４４は、互いに係合してドリップ式チャンバ４４を形成する２つの部分から作られる。一方の部分６２は流入導管４６を含み他方の部分６４は流出導管４８および磁石２８を含む。図６に示されるように、２つの部分６２、６４は互いにネジで止められてドリップ式チャンバ４４を形成する。これら２つの部分は、ネジ止め以外に例えば摩擦ばめによって、または一緒にスナップ止めすることなどの方法によって互いに係合できることが理解されよう。あるいは、ドリップ式チャンバ４４は、磁石２８が中に製作された、別々になっていない一体型装置として提供することもできる。ドリップ式チャンバ４４は、滴下の速度を監視できるように透明にしてもよい。ドリップ式チャンバの材料は、磁石のシリンジまたはコーティング５２の材料と同じでもよい。
【００６５】
図示の実施形態では、磁石２８は保護コーティング５２を有する。保護コーティング５２の材料は、シリンジまたは他の医療用途消耗品の材料と一致していてもよい。保護コーティングの材料は無毒性で、例えばポリエチレンまたはポリセンなどの、規制された認証グレード材料であるべきである。保護コーティングの厚さは、約０．２ｍｍから約１．０ｍｍとすることができる。コーディング５２は、磁石２８で発生する磁界を妨げずに、磁石２８と、当該コーティングが接触する液体５８との間で不都合な反応が何も生じないようにするために存在する。例えば、液体５８が血液である場合、コーティング５２は生体適合性としても、また不活性としてもよい。加えて、コーティング５２は、磁石２８のどちらかの面または両面に凹状の窪み５４を形成するように形づくってもよい。窪み５４は、ドリップ式チャンバ４４の中に磁石２８が置かれる向きが問題にならないように、磁石２８の両面に形成されている。窪み５４は、液体５８中のいかなる磁性粒子５６も磁石２８によって引き付けられ所定の位置に保持される一方で、液体５８が通過し続けることを確実にする助けとするために、液体が磁界と接触する時間を増やすように機能する。
【００６６】
液体５８が血液または血液製剤である場合、ドリップ式チャンバ４４は、図７に示されたような医療用液体容器６６の下に吊り下げてもよい。この実施形態では、血液または血液製剤は医療用液体容器６６からドリップ式チャンバ４４に流れ込み、最終的に患者に流れ込む。こうして、血液または血液製剤は、それが患者の中に入る前に磁性粒子５６が取り除かれる。血液または血液製剤は、以前に取り出された患者自身の血液または血液製剤でもよい。１つの態様では、ターゲットとなる磁性粒子５６は、例えば患者の血液内で見つかった悪性細胞に結合されたとする。この血液をドリップ式チャンバ４４の中に通すことによって、悪性細胞は、血液を患者の身体に戻す前に磁性粒子５６と一緒に血液から除去される。
【００６７】
使用の際、磁気粒子５６を含む液体５８は、流入導管４６を経由してドリップ式チャンバ４４に流れ込むことができる。液体５８は磁石２８に接し、液体中に見出されるいかなる磁性粒子５６も磁石２８によって引き付けられ、所定の位置に保持される一方で、液体５８は通過し続け、流出導管４８を通って流れ出る。ドリップ式チャンバ４４を出ると、液体５８には実質的に磁性粒子５６が無いことになる。
【００６８】
次に、ここで、本発明の装置の別の態様を示す図７ａおよび図７ｂを参照して本発明を説明する。具体的には、図７ａは、医療用液体容器６６および磁性柱７２を含む装置を示す。この特定の実施形態で、血液５８が白血病の患者から採取され、医療用液体容器６６内に集められる。集められた血液５８中の白血病細胞は、磁性粒子５６に結合される。磁性柱７２は、医療用液体容器６６の中の集められた血液５８中に浸漬され、回転または攪拌される。血液５８中の磁性粒子５６に結合している白血病細胞は、磁性柱７２に磁気的に結合し、磁性柱７２が医療用液体容器６６から取り出されるときに磁性柱７２と一緒に血液５８から除去される。それから、その白血病細胞が無い血液を患者に注入して戻すことができる。次に図７ｂを参照すると、医療用液体容器６６は、ドリップ式チャンバ４４付きの血液ボトルである。その血液ボトルの肩には、磁性柱７２を挿入できる開口７６がある。再び、血液５８が白血病の患者から採取され、その血液ボトル内に集められる。集められた血液５８中の白血病細胞は、磁性粒子５６に結合される。磁性柱７２は、血液ボトルの肩の開口７６に挿入され、集められた血液５８中に浸漬され、回転または攪拌される。血液５８中の磁性粒子５６に結合している白血病細胞は、磁気的に磁性柱７２に結合し、磁性柱７２が血液ボトルから取り出されるときに磁性柱７２と一緒に血液５８から除去される。それから、その捕捉された白血病細胞は、分析のために別の容器に入れることができる。
【００６９】
本発明の実施形態では、ターゲット物質は、磁石支持材料に結合するように作られている。このターゲット物質は、例えば１対の生体特異性リガンドと受容体、抗原と抗体、または特定の結合親和性を有するものは何でも、何か特定の結合対の部材とすることができる。生体特異性結合対のどんな部材を決定することも、この部材と他の対の部材との選択的相互作用に依存する。例えば、免疫複合体を形成する際、「層」が磁性粒子／抗原／抗体、又は磁性粒子／抗体／抗原であるといった「サンドイッチ」が形成される。このサンドイッチはまた、磁性粒子／受容体／ウイルス、又は磁性粒子／受容体／細胞とすることもできる。次に図８を参照すると、磁気的に反応する粒子が固体の担持体を形成する。この特定の実施形態では、磁性粒子は、酸化鉄のコアなどの鉄のコア、およびシリカ／ポリマーのシェルからなる。磁性粒子の粒径範囲は、約１０ｎｍから約５００μｍとしてもよい。生体親和性成分は、共有結合によって、またはビオチン／ストレプトアビジン結合によって粒子に付着する。生体親和性成分は、細胞、ウイルス、および他のターゲット物質が、抗原−抗体、リガンド−受容体などのように粒子に付着するのに必要になる。この特定の実施形態では、粒子はシリカまたはポリマーでコーティングされ、その結果、粒子は、例えば１つを超える受容体を呈示するために、またいくつかのターゲット物質で取り囲むために、表面積を大きくすることができ、例えば花状の複合体を形成できるようになる。同じ理由で、１つの細胞が１つを超える受容体を細胞の膜に有する場合、設計に応じて１つを超える粒子を１つの細胞に付着させることができる。この特定の実施形態では、磁気的に応答する粒子自体は磁化されない。粒子は担体の役割を果たし、本物のコロイドとして挙動する。粒子は、磁界にさらされたときだけ磁性を持つことになる。加えて、粒子の例えば鉄と液体成分の間の特定の化学反応を回避するために、コーティング材料により、粒子の例えば鉄が液体と直接接触することを防止することができる。このことは、粒子が臨床目的に使用される場合には非常に重要な安全性の関心事になり得る。
【００７０】
次に、ここで、本発明の装置の別の態様を示す図９を参照して本発明を説明する。この特定の実施形態では、装置２０は、例えば水泳プール業界などの業界で使用されるスカベンジャーである。大きいサイズに磁石が拡大されているこの実施形態で、装置２０はスカベンジャーであり、水泳プール内の水から人毛および他の混入物質を除去するために真空掃除機のような形に製作されており、液体容器がプールであり、軸２２、つまみ２４、磁性柱２６、および支柱４０が装置２０を構成する。装置２０は、水泳プール内の水の中を通って、この実施形態では支柱４０に支えられた車輪８０により水泳プールの内面にわたって装置２０が移動するように、モータを付けることができ、あるいは取っ手７８を押すことによって手動で移動させることができ、その結果、水中の人毛、藻類、および他の異質（混入）物質を除去できることになる。この実施形態は、フィルター浄化よりも有効で経済的である。
【００７１】
本明細書に記載の装置は、液体から磁性粒子を除去する方法に関して用途が見出される。液体の種類は非限定的なものであり、いくつかの例には、血液、血液製剤、骨髄、ＣＳＦ、細胞培養液、食品、ミルク、飲料、例えばエンジンオイルなどの油、潤滑剤、緩衝剤、それだけには限らないが水、エタノール、ホルムアミド、フェノール、クロロホルム、および他の化学液体を含む溶剤、ならびに化学試薬が含まれる。磁性粒子自体を液体から除去することが望ましいこともあれば、磁性粒子が液体中の除去することが望ましい成分に結合していることもある。例えば、磁性粒子は、細胞、バクテリア、藻類、ウイルス、タンパク質、核酸、または液体中に見出される汚染物質に向けられて結合してもよい。こうして、本明細書に記載の装置は、汚染水もしくは汚れた水を浄化するのに使用しても、あるいは、エンジンオイル中および潤滑剤中に見出される金属剥離物の小片を除去するのに使用してもよい。あるいは、この装置は、白血病を含む癌、ＨＩＶ、ＨＢＶもしくはＨＣＶを含むウイルス、糖尿病、全身性エリテマトーデスもしくは関節リウマチを含む自己免疫疾患などの病気または障害を処置するのに使用してもよい。これらの列挙された病気および障害は、現在特許請求されている装置を使用してあらゆる液体の病気または障害（血液、骨髄、ＣＳＦなどの体液中の循環する細胞、ウイルス、タンパク質、自己抗体を伴うあらゆる病気または障害）を処置してもよいので、非限定的なものと考えられる。本明細書に記載の装置はまた、タンパク質、バクテリア、ウイルス、ＤＮＡもしくはＲＮＡを溶液から分離することに関してなど、実験的な分析に関して用途が見出される。
【００７２】
このような病気または障害を処置する際、磁性粒子は、病気を引き起こす部分に向けられて結合する。例えば、白血病の場合では、磁性粒子は悪性細胞をターゲットとする。ウイルス感染の場合では、磁性粒子はウイルス粒子をターゲットとする。自己免疫障害の場合では、磁性粒子は自己免疫タンパク質複合体をターゲットとする。他のタンパク質複合体またはコレステロール複合体を、他の病気または障害を処置するためのターゲットとしてもよい。
【００７３】
提示した説明は、網羅的なものではなく、あるいは本発明の範囲を限定するものでもない。以下の特許請求の範囲および趣旨から逸脱することなく、多くの修正および変形が上記の教示に照らして可能である。本発明を利用することは、様々な特性を有する構成要素を伴い得ることが考えられる。本発明の範囲は、等価物に関して完全な認識範囲をすべての点で与える添付の特許請求の範囲によって定義されるものである。
【図１】
2014515694.tif 000003
【図２】
2014515694.tif 000004
【図３】
2014515694.tif 000005
【図４】
2014515694.tif 000006
【図５Ａ】
2014515694.tif 000007
【図５Ｂ】
2014515694.tif 000008
【図５Ｃ】
2014515694.tif 000009
【図６Ａ】
2014515694.tif 000010
【図６Ｂ】
2014515694.tif 000011
【図６Ｃ】
2014515694.tif 000012
【図７Ａ】
2014515694.tif 000013
【図７Ｂ】
2014515694.tif 000014
【図８】
2014515694.tif 000015
【図９】
2014515694.tif 000016
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
磁性粒子を液体から除去する装置であって、
磁性粒子を含んでいる液体を保持する少なくとも１つの容器と、
前記少なくとも１つの容器の中に置かれるための少なくとも１つの磁石と
を備えており、
前記液体が前記少なくとも１つの磁石と接触すると、前記磁性粒子が前記少なくとも１つの磁石の方に引き付けられて該磁石に結合し、その結果、前記液体が前記少なくとも１つの磁石から分離されたとき、前記磁性粒子が前記液体から除去される、装置。
【請求項２】
前記少なくとも１つの磁石は磁性柱である、請求項１に記載の装置。
【請求項３】
少なくとも１つの軸をさらに備えており、前記少なくとも１つの磁性柱が、前記軸を中心として動くように支えられている、請求項１に記載の装置。
【請求項４】
前記少なくとも１つの磁性柱が中空であり、内部の磁石を含む、請求項２に記載の装置。
【請求項５】
前記内部の磁石が、永久磁石、電磁石、およびこれらの組合せからなる群から選択される、請求項４に記載の装置。
【請求項６】
前記内部の磁石が、前記少なくとも１つの磁性柱から取出し可能である、請求項４に記載の装置。
【請求項７】
前記少なくとも１つの磁性柱がさらに非磁性スペーサを含む、請求項２に記載の装置。
【請求項８】
前記少なくとも１つの磁性柱が取外し可能なカバーを含む、請求項２に記載の装置。
【請求項９】
前記少なくとも１つの磁性柱が複数の磁性柱である、請求項３に記載の装置。
【請求項１０】
前記複数の磁性柱のうちの少なくとも２つの磁性柱が異なる寸法を有する、請求項９に記載の装置。
【請求項１１】
前記複数の磁性柱が、少なくとも１つのアレイの形で前記軸に支えられている、請求項１０に記載の装置。
【請求項１２】
前記少なくとも１つのアレイが、前記軸に支えられた複数のアレイである、請求項１１に記載の装置。
【請求項１３】
前記液体が、血液、血液製剤、骨髄、ＣＳＦ、細胞培養液、食品、ミルク、飲料、油、潤滑剤、緩衝剤、溶剤であって水、エタノール、ホルムアミド、フェノール、クロロホルムからなる群から選択された溶剤、試薬、ならびにこれらの組合せからなる群から選択される、請求項２に記載の装置。
【請求項１４】
前記磁性粒子が細胞、バクテリア、藻類、ウイルス、タンパク質、核酸、または汚染物質に結合される、請求項２に記載の装置。
【請求項１５】
磁性粒子を液体から除去する方法であって、
磁性粒子を含む液体を前記液体中の少なくとも１つの磁石に接触させ、それによって前記磁性粒子を前記少なくとも１つの磁石に引き付け結合させるステップａと、
前記液体を、前記少なくとも１つの磁石および該磁石に結合した前記磁性粒子から分離して、前記磁性粒子を前記液体から除去するステップｂと、
を有する方法。
【請求項１６】
前記容器は、流入導管および流出導管を含むチャンバを備えており、
前記磁石は、前記チャンバ内で前記流入導管と前記流出導管の間に支えられており、
前記液体が前記流入導管から前記流出導管へと流れるときに、前記磁石が前記液体中の前記磁性粒子を引き付け結合する、請求項１に記載の装置。
【請求項１７】
前記チャンバ内で前記磁石を支えるための複数の保持部分をさらに含む、請求項１６に記載の装置。
【請求項１８】
前記磁石が保護コーティングを有する、請求項１６に記載の装置。
【請求項１９】
互いに係合して前記チャンバを形成する２つの部分を備え、前記２つの部分のうちの一方の部分が前記流入導管を含み、他方の部分が前記流出導管および前記磁石を含む、請求項１６に記載の装置。
【請求項２０】
前記磁石が前記チャンバから取外し可能である、請求項１６に記載の装置。
【請求項２１】
前記磁石が前記チャンバの壁に取り付けられている、請求項１６に記載の装置。
【請求項２２】
前記液体が通って流れる開口を前記磁石が備えている、請求項１６に記載の装置。
【請求項２３】
前記流入導管および前記流出導管が、患者の静脈または動脈に直接または間接的に連結されるように構成されている、請求項１６に記載の装置。
【請求項２４】
前記ステップａは、内部の磁石を含むドリップ式チャンバの中に前記液体を、前記液体中の磁性粒子を引き付け結合する前記磁石に前記液体が接触し通過するように流入させることを含み、前記ステップｂは、前記液体を前記ドリップ式チャンバの外へ流出させることを含む、請求項１５に記載の方法。
【請求項２５】
患者の血液感染性の病気または障害を処置する方法であって、
前記病気または障害を引き起こす部分に向けられて結合する磁性粒子を用いて前記患者の血液を処置するステップａと、
請求項１に記載の装置を使用することによって、前記磁性粒子および、病気または障害を引き起こす部分を前記血液から除去するステップｂと、
を有する方法。
【手続補正２】
【補正対象書類名】明細書
【補正対象項目名】００６８
【補正方法】変更
【補正の内容】
【００６８】
次に、ここで、本発明の装置の別の態様を示す図７Ａおよび図７Ｂを参照して本発明を説明する。具体的には、図７Ａは、医療用液体容器６６および磁性柱７２を含む装置を示す。この特定の実施形態で、血液５８が白血病の患者から採取され、医療用液体容器６６内に集められる。集められた血液５８中の白血病細胞は、磁性粒子５６に結合される。磁性柱７２は、医療用液体容器６６の中の集められた血液５８中に浸漬され、回転または攪拌される。血液５８中の磁性粒子５６に結合している白血病細胞は、磁性柱７２に磁気的に結合し、磁性柱７２が医療用液体容器６６から取り出されるときに磁性柱７２と一緒に血液５８から除去される。それから、その白血病細胞が無い血液を患者に注入して戻すことができる。次に図７Ｂを参照すると、医療用液体容器６６は、ドリップ式チャンバ４４付きの血液ボトルである。その血液ボトルの肩には、磁性柱７２を挿入できる開口７６がある。再び、血液５８が白血病の患者から採取され、その血液ボトル内に集められる。集められた血液５８中の白血病細胞は、磁性粒子５６に結合される。磁性柱７２は、血液ボトルの肩の開口７６に挿入され、集められた血液５８中に浸漬され、回転または攪拌される。血液５８中の磁性粒子５６に結合している白血病細胞は、磁気的に磁性柱７２に結合し、磁性柱７２が血液ボトルから取り出されるときに磁性柱７２と一緒に血液５８から除去される。それから、その捕捉された白血病細胞は、分析のために別の容器に入れることができる。
【国際調査報告】
2014515694.tif 000017
2014515694.tif 000018
2014515694.tif 000019
2014515694.tif 000020
2014515694.tif 000021